(57)【要約】 【課題】  被支援者の操作性を向上して、複数種類の電子機器４ａ〜４ｆの選択と各電子機器の複数種類の動作との選択を容易にする。【解決手段】  障害者などの被支援者が、自分の意志で使うことができる残存機能である呼吸機能を用い、その吸気および呼気によって、吸気スイッチ１を用いた複数種類の操作態様を行う。これによってテレビジョン受信機、電話器、インターホンなどの電子機器の操作を行うことを可能にする。表示手段５には、選択的に操作可能な各電子機器を表示する。各電子機器の１つを選択したとき、その選択された電子機器によって達成される複数種類の各動作を表示する。この表示にあたっては、操作の可能性が最も高いものから順に、表示されて選択を可能にする。これによって最優先選択が可能になり、吸気スイッチ１の操作回数を低減し、操作性の向上が図られる。【選択図】      図１
2006231049.tif 000002
【特許請求の範囲】
【請求項１】
複数の各電子機器に、複数種類の各動作を行わせる適応的操作支援装置において、
複数種類の操作態様で、操作される操作手段と、
操作手段の出力に応答し、選択的に操作可能な各電子機器および各動作を表す信号を出力し、選択された各電子機器および各動作を表す信号を出力する環境制御手段と、
環境制御手段の出力に応答し、選択的に操作可能な各電子機器および各動作を表示するとともに、選択された各電子機器および各動作を表示する表示手段と、
環境制御手段の出力に応答し、選択された電子機器に、選択された種類の動作を行わせる動作制御手段とを含むことを特徴する適応的操作支援装置。
【請求項２】
操作手段は、１または複数の操作回数によって、各電子機器とその電子機器の動作とを選択することを特徴する請求項１記載の適応的操作支援装置。
【請求項３】
環境制御手段は、
各電子機器の動作を検出し、
操作手段の出力および検出した各電子機器の動作のいずれか少なくとも一方によって、電子機器とその動作の選択される可能性が高い順序で、各電子機器とその動作とを表示手段に表示させることを特徴とする請求項１または２記載の適応的操作支援装置。
【請求項４】
環境制御手段は、
時計手段を有し、
操作手段の出力と、時計手段の出力とによって、電子機器とその動作の選択される可能性が高い順序で、各電子機器とその動作とを表示手段に表示させることを特徴とする請求項１〜３のうちの１つに記載の適応的操作支援装置。
【請求項５】
被支援者の身体に関する環境状態を検出する環境状態検出手段をさらに含み、
環境制御手段は、
環境状態検出手段の出力に応答し、環境が良好となるように選択される可能性が高い順序で、各電子機器とその動作とを表示手段に表示させることを特徴とする請求項１〜４のうちの１つに記載の適応的操作支援装置。
【請求項６】
被支援者の身体に関する環境状態を検出する環境状態検出手段をさらに含み、
環境制御手段は、
時計手段を有し、
操作手段の出力と、環境状態検出手段の出力と、時計手段の出力とによって、電子機器とその動作の選択される可能性が高い順序で、各電子機器とその動作とを表示手段に表示させることを特徴とする請求項１〜３のうちの１つに記載の適応的操作支援装置。
【請求項７】
環境制御手段は、時計手段を有し、
操作手段の操作による各電子機器およびその動作の選択される頻度を、時間経過に伴って学習し、この学習結果に基づき、前記順序を定めることを特徴とする請求項３〜６のうちの１つに記載の適応的操作支援装置。
【請求項８】
１日、週、月または季節毎の時間経過に伴う行動パターンを学習して被支援者の日常行動のデータベースを作成する手段と、
データベース作成手段の出力に応答し、被支援者の日常行動のデータベースからの逸脱度合いを監視し、その逸脱度合いが大きい場合、異常が発生したものと判断する異常判断手段と、
異常判断手段の出力に応答し、異常発生時に、報知を行う報知手段とを含むことを特徴とする請求項１〜７のうちの１つに記載の適応的操作支援装置。
【請求項９】
被支援者の生活上必須の機能を監視し、異常発生時に報知手段によって報知を行わせる手段をさらに含むことを特徴とする請求項８記載の適応的操作支援装置。
【請求項１０】
環境状態検出手段の出力に応答し、環境を変化する電子機器の省エネルギとなるための操作手段による操作を、表示手段によって表示することを特徴とする請求項５〜９のうちの１つに記載の適応的操作支援装置。
【請求項１１】
無停電電源をさらに含み、
商用交流電源を停電時に、少なくとも予め定める電子機器に供給することを特徴とする請求項１〜１０のうちの１つに記載の適応的操作支援装置。
【請求項１２】
複数の各電子機器に、複数種類の各動作を行わせる適応的操作支援装置において、
複数種類の各動作を模擬的行う模擬電子機器と、
複数種類の操作態様で、操作される操作手段と、
操作手段の出力に応答し、選択的に操作可能な各電子機器および各動作ならびに模擬電子機器および模擬動作を表す信号を出力し、選択された各電子機器および各動作を表す信号を出力する環境制御手段と、
環境制御手段の出力に応答し、選択的に操作可能な各電子機器および各動作ならびに模擬電子機器および模擬動作を表示するとともに、選択された各電子機器および各動作ならびに模擬電子機器および模擬動作を表示する表示手段と、
環境制御手段の出力に応答し、選択された電子機器に、選択された種類の動作を行わせるとともに、選択された模擬電子機器に、選択された種類の模擬動作を行わせる動作制御手段とを含むことを特徴する適応的操作支援装置。
【請求項１３】
複数種類の各動作を模擬的に行う模擬電子機器と、
複数種類の操作態様で、操作される操作手段と、
操作手段の出力に応答し、選択的に操作可能な模擬電子機器および各模擬動作を表す信号を出力し、選択された各電子機器および各動作を表す信号を出力する環境制御手段と、
環境制御手段の出力に応答し、選択的に操作可能な模擬電子機器および各模擬動作を表示するとともに、選択された模擬電子機器および各模擬動作を表示する表示手段と、
環境制御手段の出力に応答し、選択された模擬電子機器に、選択された種類の模擬動作を行わせる動作制御手段とを含むことを特徴する適応的操作支援装置。
【請求項１４】
操作手段は、身体的障害を伴う被支援者が随意操作可能に構成されていることを特徴とする請求項１〜１３のいずれか１つに記載の適応的操作支援装置。
【請求項１５】
操作手段は、手が不自由な被支援者が操作可能に構成されていることを特徴とする請求項１〜１３のいずれか１つに記載の適応的操作支援装置。
【請求項１６】
操作手段は、呼気および吸気によって操作可能な呼気スイッチであることを特徴とする請求項１４または１５記載の適応的操作支援装置。
【発明の詳細な説明】
【技術分野】
【０００１】
本発明は、被支援者が複数種類の各電子機器の動作を選択して行わせるために操作支援を行う適応的操作支援装置に関する。
【背景技術】
【０００２】
支援者である障害者、特に頸椎損傷等で手足両方が不自由で、ほとんどベッド上での生活をせざるをえない障害者が、自分の意思で動くことができる残存機能（たとえば呼吸、瞬き、視線の動き、音声、頬の筋肉の動き、等の機能）を使って、自分の身の回りの装置を操作するために使用する環境制御装置に、最新の主にソフトウェア技術を使うことによって、装置の利便を向上させることができる。
【０００３】
最新の情報家電技術の発達によって、電灯線や無線経由で家電機器を操作したり、その機器の状態をフィードバックしたりすることが可能となっている。これを環境制御装置に利用することで、今までと比べ利便性の高い環境制御装置が実現される。
【０００４】
次世代環境制御装置は、本来の対象である重度障害者の自立生活のために使用されるものであるが、そればかりでなく、手が使える障害者、高齢者、一般の健常者にとっても、動かずに電子機器が操作でき、しかもその操作が簡単に行える本装置は歓迎されるものである。
【０００５】
従来の環境制御装置について、呼気スイッチである管状のスイッチで、管を吹くことと、吸うことで２個の押しボタンスイッチの代りに機能する入力手段を用いた場合を、一例として説明する。装置には、２桁の数字を表示する表示器があり、その初期状態は「００」である。呼気スイッチを吹くと、１回吹く度に１０位の桁が１ずつ上がり、「００」→「１０」→「２０」→…と変化し、１回吸う数字が確定する。「３０」→で確定したとし、次にさらに吹くと、今度は１位の桁の数字が「３０」→「３１」→「３２」→…と変わる。再度、吹くことで、例えば「３４」が確定する。
【０００６】
この２桁の数字を、たとえば１０位の桁、０が電話とし、「００」が電話のピックアップ、「０１」を切断、「０２」〜「０９」を短縮番号のように設定する。その他の桁も同様に、「１０」：ＴＶ（テレビジョン受信機）のオン、「１１」：ＴＶのオフ、「１２」：ＴＶチャンネルのアップ、…と設定していくと、障害者は息を吹くことと吸うことの動作だけで、手が使えなくても目的の数字が選択できる。
【０００７】
これらの数字は、上述の実際の電子機器の操作に繋がっている。赤外線リモコン（遠隔制御手段）で操作することができる電子機器では、番号に対応しリモコンから赤外線のパルスが発信され、電子機器を操作する。リモコンが使えない電子機器では、リレーを使って直接に電源をオンオフするなどして、電子機器を操作する。
【０００８】
操作後、一定の時間がたつと表示器の数字が「００」に戻る。そのため、最も早い対応を要求される電話ピックアップを「００」に割当てる例が多い。
【０００９】
このような先行技術の問題点は、次のとおりである。
・電子機器を操作するまでに時間がかかる。
・電子機器の設定をするのに手数がかかる。
・電子機器が動作しているのか確認できない場合がある。
・操作できる電子機器の数が限られている。
・停電時に操作できなくなる。
・停電復旧時に操作ができなくなる場合がある。たとえばエアマット使用の障害者も多いが、停電でエアマットがオフになると、復旧後もエアマットは勝手には膨らまないので、呼気スイッチが操作できない。
【発明の開示】
【発明が解決しようとする課題】
【００１０】
本発明の目的は、障害者などの被支援者の意思で行うことができる残存機能を利用し、電子機器の操作を短くし、また状況に応じて、容易に行うことができるようにした適応的操作支援装置を提供することである。
【課題を解決するための手段】
【００１１】
本発明は、複数の各電子機器に、複数種類の各動作を行わせる適応的操作支援装置において、
複数種類の操作態様で、操作される操作手段と、
操作手段の出力に応答し、選択的に操作可能な各電子機器および各動作を表す信号を出力し、選択された各電子機器および各動作を表す信号を出力する環境制御手段と、
環境制御手段の出力に応答し、選択的に操作可能な各電子機器および各動作を表示するとともに、選択された各電子機器および各動作を表示する表示手段と、
環境制御手段の出力に応答し、選択された電子機器に、選択された種類の動作を行わせる動作制御手段とを含むことを特徴する適応的操作支援装置である。
【００１２】
また本発明は、操作手段は、１または複数の操作回数によって、各電子機器とその電子機器の動作とを選択することを特徴する。
【００１３】
本発明に従えば、操作手段の複数種類の操作態様で操作を行うことによって、環境制御装置は、複数の各電子機器の選択および各電子機器の動作の選択を行い、この選択された電子機器を、選択された動作で動作制御手段によって動作させる。この選択操作可能な各電子機器と、各電子機器の複数種類の各動作を、表示手段によって表示するとともに、選択された後の電子機器とその動作もまた表示手段によって表示される。こうして被支援者による電子機器の動作の選択が容易になる。
【００１４】
操作手段は、たとえば吸気スイッチであり、被支援者の呼吸の気体によって操作される構成を有し、吸気および呼気によって操作態様を異ならせることができ、あるいはまた吸気および呼気の連続した時間または予め定める時間内の回数を変化することによって操作態様を変化することもまた可能である。操作手段はまた、押しボタンスイッチであってもよく、あるいはまたマイクロホンと、マイクロホンからの音声信号を音声認識する構成によって実現されてもよく、さらにそのほかの構成によって実現されてもよい。
【００１５】
ソフトウェアによって動作を記述できる機器（パソコンのようなもの）を中核とし、ＵＰＳ（無停電電源装置）を組合せ、かつ情報家電と情報のやり取りができるインターフェース（現状の情報家電の計画では電灯線経由のＥＣＨＯＮＥＴ規格やＬＯＮ規格、無線を使用したBluetooth）を備えた装置を、本発明のいわば次世代環境制御装置とする。
【００１６】
また本発明は、環境制御手段は、
各電子機器の動作を検出し、
操作手段の出力および検出した各電子機器の動作のいずれか少なくとも一方によって、電子機器とその動作の選択される可能性が高い順序で、各電子機器とその動作とを表示手段に表示させることを特徴とする。
【００１７】
本発明に従えば、電子機器およびその動作の選択される可能性が最も高い機能が最優先順位で選択されることが可能になり、これによって操作性がさらに向上される。
【００１８】
また本発明は、環境制御手段は、
時計手段を有し、
操作手段の出力と、時計手段の出力とによって、電子機器とその動作の選択される可能性が高い順序で、各電子機器とその動作とを表示手段に表示させることを特徴とする。
【００１９】
本発明に従えば、時計手段を備え、１日内の朝、午前、昼、午後、夕方、夜、就寝後の時間などの時刻または時間帯に従って、前記順序を設定し、こうして日常動作に従い、操作性の向上を図ることが可能になる。このような日常動作は、操作手段の出力によって、または環境制御手段の動作によって学習してメモリにストアしておくことができる。
【００２０】
また本発明は、被支援者の身体に関する環境状態を検出する環境状態検出手段をさらに含み、
環境制御手段は、
環境状態検出手段の出力に応答し、環境が良好となるように選択される可能性が高い順序で、各電子機器とその動作とを表示手段に表示させることを特徴とする。
【００２１】
本発明に従えば、環境状態検出手段によって、被支援者の身体に関する環境状態、たとえば部屋内の温度、ベッド内の暖房器具の温度などを検出し、被支援者にとってその検出された温度が低いときには、環境が良好となるように、すなわち温度が身体に適切となるように上昇されるように、選択される可能性が高い順序で、表示手段に、各電子機器、たとえば空気調和装置または暖房器具などと、その昇温動作などの動作とを優先順位を高くして表示する。これによって操作性がさらに向上され、環境順応機能が高められる。
【００２２】
また本発明は、被支援者の身体に関する環境状態を検出する環境状態検出手段をさらに含み、
環境制御手段は、
時計手段を有し、
操作手段の出力と、環境状態検出手段の出力と、時計手段の出力とによって、電子機器とその動作の選択される可能性が高い順序で、各電子機器とその動作とを表示手段に表示させることを特徴とする。
【００２３】
さらに本発明に従えば、被支援者がたとえば障害者であって、介護者であるヘルパが訪問する日時などに応じ、そのヘルパによって介護される部屋内の環境を、最適に保つための状態を選ぶことを容易に可能にする。たとえば介護者の訪問時、被支援者の部屋内の温度を高めておき、入浴を快適に行わせるように部屋の環境を予め準備しておくことが可能である。
【００２４】
また本発明は、環境制御手段は、時計手段を有し、
操作手段の操作による各電子機器およびその動作の選択される頻度を、時間経過に伴って学習し、この学習結果に基づき、前記順序を定めることを特徴とする。
【００２５】
また本発明は、１日、週、月または季節毎の時間経過に伴う行動パターンを学習して被支援者の日常行動のデータベースを作成する手段と、
データベース作成手段の出力に応答し、被支援者の日常行動のデータベースからの逸脱度合いを監視し、その逸脱度合いが大きい場合、異常が発生したものと判断する異常判断手段と、
異常判断手段の出力に応答し、異常発生時に、報知を行う報知手段とを含むことを特徴とする。
【００２６】
本発明に従えば、被支援者の日常行動パターンを、時間経過に伴い、たとえば朝、午前、昼、午後、夕方、夜、就寝後などの時刻、時間帯で行動パターンを学習し、操作手段の操作によって動作される電子機器とその動作の種類との頻度を加味した日常行動パターンのデータベースを、作成し、この学習結果に基づいて前記順序を定める。これによって操作性の向上をさらに図ることができる。
【００２７】
また本発明に従えば、日常行動パターンのデータベースからの被支援者の逸脱の度合いを監視し、逸脱度合いが大きいと異常と判断し、異常判断手段の出力を報知手段によって報知する。報知手段は、たとえば公衆電話回線を介して介護者に信号が伝送され、介護者に、被支援者が介護を必要としていることを、音響、目視などによって表示するように構成される。こうして被支援者の日常逸脱の監視を行うことができる。
【００２８】
また本発明は、被支援者の生活上必須の機能を監視し、異常発生時に報知手段によって報知を行わせる手段をさらに含むことを特徴とする。
【００２９】
本発明に従えば、被支援者が便所に行く１日内の回数、便所に行くたびごとの時間間隔、水道水を使う回数およびその水道水を使う時間間隔、さらに風呂に入っている時間の長短などを監視し、被支援者の異常発生の報知を容易に可能にする。このようにして被支援者の必須機能の監視を行うことによって、被支援者の安全が図られ、見守り機能が達成される。
【００３０】
また本発明は、環境状態検出手段の出力に応答し、環境を変化する電子機器の省エネルギとなるための操作手段による操作を、表示手段によって表示することを特徴とする。
【００３１】
本発明に従えば、環境を変化する電子機器、たとえば空気調和装置または暖房機器などの省エネルギとなるための操作手段による操作を、表示手段によって順位を高めて表示する。こうしてエアコンと呼ばれる空気調和装置の設定装置の設定温度と室温とを監視することによって、被支援者である利用者の快適性を損なわない範囲で、電力消費量を低減し、省エネルギ効果を達成することができる。そのような省エネルギ効果が達成できるような設定温度の設定を、表示手段によって高順位で表示する。
【００３２】
また電子機器特性に基づき、長時間つけっ放しで電源投入の状態になっている可能性のある機器の電源遮断を行わせるように、表示手段によって高い順位で表示を行わせる。このことによってもまた良好な操作性で省エネルギ効果を達成することができる。
【００３３】
また本発明は、無停電電源をさらに含み、
商用交流電源を停電時に、少なくとも予め定める電子機器に供給することを特徴とする。
【００３４】
本発明に従えば、無停電電源を用いることによって、被支援者の生活に必要な少なくとも予め定める電子機器、たとえば空気調和装置などまたは電動機によって動作するエアベッドなどに電力を供給し、停電によってこれらの電子機器が休止してしまわないようにし、被支援者の安全を図ることができる。
【００３５】
本発明は、複数の各電子機器に、複数種類の各動作を行わせる適応的操作支援装置において、
複数種類の各動作を模擬的行う模擬電子機器と、
複数種類の操作態様で、操作される操作手段と、
操作手段の出力に応答し、選択的に操作可能な各電子機器および各動作ならびに模擬電子機器および模擬動作を表す信号を出力し、選択された各電子機器および各動作を表す信号を出力する環境制御手段と、
環境制御手段の出力に応答し、選択的に操作可能な各電子機器および各動作ならびに模擬電子機器および模擬動作を表示するとともに、選択された各電子機器および各動作ならびに模擬電子機器および模擬動作を表示する表示手段と、
環境制御手段の出力に応答し、選択された電子機器に、選択された種類の動作を行わせるとともに、選択された模擬電子機器に、選択された種類の模擬動作を行わせる動作制御手段とを含むことを特徴する適応的操作支援装置である。
【００３６】
また本発明は、複数種類の各動作を模擬的に行う模擬電子機器と、
複数種類の操作態様で、操作される操作手段と、
操作手段の出力に応答し、選択的に操作可能な模擬電子機器および各模擬動作を表す信号を出力し、選択された各電子機器および各動作を表す信号を出力する環境制御手段と、
環境制御手段の出力に応答し、選択的に操作可能な模擬電子機器および各模擬動作を表示するとともに、選択された模擬電子機器および各模擬動作を表示する表示手段と、
環境制御手段の出力に応答し、選択された模擬電子機器に、選択された種類の模擬動作を行わせる動作制御手段とを含むことを特徴する適応的操作支援装置である。
【００３７】
本発明に従えば、電子機器だけでなく、模擬電子機器を仮想上設けることができる。これによって模擬電子機器の模擬運転を行うことができる。たとえば空気調和装置を、被支援者が購入したいと思ったとき、操作手段を操作し、表示手段にどのような表示が行われて空気調和装置が運転されるかを、試験運転してみることができ、これによって被支援者の購入の動機を与えることができる。
【００３８】
本発明は、操作手段は、身体的障害を伴う被支援者が随意操作可能に構成されていることを特徴とする。
【００３９】
本発明に従えば、操作手段を用いることによって、身体的障害を伴う被支援者が随意操作することができる。
【００４０】
本発明は、操作手段は、手が不自由な被支援者が操作可能に構成されていることを特徴とする。
【００４１】
本発明に従えば、操作手段を用いることによって、手が不自由な被支援者が操作することができる。
【００４２】
本発明は、操作手段は、呼気および吸気によって操作可能な呼気スイッチであることを特徴とする。
【００４３】
本発明に従えば、呼気および吸気によって適応的操作支援装置を操作することができる。
【００４４】
本件明細書において電子機器というのは、たとえば電気ストーブおよび照明灯などのように電力を消費する構成要素を主として含む構成であってもよく、あるいはまた電子回路を主として含む構成であってもよい。
【発明の効果】
【００４５】
本発明によれば、障害者などの被支援者による電子機器とその動作との選択の操作性を向上することが可能になる。
【００４６】
本発明によれば、コスト低減が図られる。障害者であっても、健常者と同じ電子機器である製品（情報家電）を使うことが可能となることにより、機器選択の自由度が向上するとともにコストも低減される。また設定の容易化が図られる。電子機器の検知に関して、電力線や無線による情報家電の接続技術により、コンセントに繋いだりリセットボタンを押すだけで、機器が簡単にＥＣＳに検知されるような枠組みを提供して、電子機器のいわゆるプラグアンドプレイ（Plug and Play）が可能になる。さらに操作法の変更に関して、検知された電子機器の操作可能な機能は、ＥＣＳの画面から全て操作可能であるとともに、その操作方法を利用者自らが簡単に設定・変更できる方法を提供する。これにより、これまで電子機器の接続や設定変更を業者や支援者に頼っていたＥＣＳ利用者の自立性が大幅に向上する。本発明の考え方に従えば、ソフトウェアによって動作を記述できる機器（パソコンのようなもの）を中核とし、ＵＰＳ（無停電電源装置）を組合せ、かつ情報家電と情報のやり取りができるインターフェースを備えた装置において、ソフトウェア技術により、環境制御装置機能、見守り機能、省エネルギ機能、停電関連機能、設置工事容易化、設定容易化を実現することができる。
【発明を実施するための最良の形態】
【００４７】
図１は、本発明の実施の一形態の全体の構成を示すブロック図である。被支援者は、残存機能である呼吸機能を用い、その呼気スイッチ１を、吸気および呼気によって操作し、その吸気、呼気、それらの連続的な操作、単位時間あたりの回数などのような複数種類の操作態様を行うことができる。呼気スイッチ１の出力は、パーソナルコンピュータなどによって実現される環境制御装置（Environment Control System、略称ＥＣＳ）２に与えられる。この環境制御装置２は、電力線搬送手段３によって、複数種類の電子機器、たとえば空気調和装置４ａ、換気扇４ｂ、ラジオカセットテープレコーダ４ｃのための赤外線遠隔制御手段４ｄ、照明器具４ｅなどを含むとともに、さらにテレビジョン受信機４ｆを含む。参照符のアルファベットの添え字を省略して総括的に数字だけで示すことがある。電子機器は、電気ストーブおよび照明灯などであってもよく、またコンピュータによる通信によって操作可能な電子機器であってもよい。
【００４８】
こうして設置工事容易化が図られる。情報家電に関して、外部からの通信信号により、電源のＯＮ／ＯＦＦや各種の設定変更等を行うことのできる次世代家電機器と連係し、電子機器の持つ全ての機能をＥＣＳ経由で使いこなすことを可能とする。電灯線通信に関して、標記情報家電とＥＣＳとを接続する構成の１つとして、家庭用コンセントにプラグを差込むだけで、電源供給用と同時に制御信号等のデータ通信を電力線を用いて行う技術について適用される。無線通信に関して、標記情報家電とＥＣＳとを接続する構成の１つとして、無線通信によりデータ通信を行う技術について適用される。プログラマブル赤外線リモコンに関して、電子機器である家電機器（赤外線リモコン対応型）については、環境制御装置からの信号を赤外線信号に変換するプログラマブル・リモコンを用いることにより、リモコンで制御可能な範囲でＥＣＳと接続する構成について適用される。スイッチリレー接点に関して、赤外線のインターフェースも持たない機器については、スイッチの状態を検知して無線あるいは電力線に信号を送ったり、これらの信号によりリレーを作動させたりするアダプタを開発するなどの構成により接続を可能とする。通信のためには、無線通信であってもよく、有線通信であってもよく、さらに光通信であってもよく、さらにこれらの各種の構成が異なる通信手段を併用するようにしてもよく、電気信号、光信号などの信号が送受信することができる構成であればよい。
【００４９】
環境制御装置用表示手段５は、環境制御装置２に接続され、陰極線管または液晶パネルなどによって実現される表示手段６を備えるとともに、コントローラ７によって、テレビジョン放送を受信し、表示手段６によって表示することができる。コントローラ７は、環境制御装置２に接続される。さらに赤外線を利用する遠隔操作手段８，９によって、コントローラ７の動作を制御することもまた可能である。環境制御装置２には、スピーカおよびマイクロホン１１が接続され、さらにシミュレータ演算を行うパーソナルコンピュータなどの処理手段１２が備えられていてもよい。処理手段１２は、模擬電子機器の働きを行わせることができる。この模擬電子機器は、たとえば空気調和装置などであってもよく、操作手段による操作をしたとき、どのような動作が模擬的に行われるかを、被支援者が試験運転を行い、このような空気調和装置などの電子機器を購入するかどうかを決定するために有利に、実施されることができる。本発明では、このような模擬電子機器のための処理手段１２は備えられていてもよいけれども、備えられていなくてもよい。後述の説明では、処理手段１２を用いて模擬運転が行われる動作も、説明されている。このような処理手段１２による模擬電子機器は、仮想デバイスと呼ばれることもある。環境制御装置２にはまた、アナログ公衆電話回線１３を介して、モデム１４が接続され、デジタル公衆電話回線１５に接続される。さらにテレビドアホンシステム１６が、コントローラ７に関連して接続されるとともに、環境制御装置２に接続される。テレビドアホンシステム１６は、テレビドア子機１７、その親機１８を備え、さらにモデム１４に接続されるアナログ回路アダプタ１９を備える。このテレビドアシステム１６はまた、環境制御装置２の働きによってスピーカ・マイクロホン１１による電話器の機能を達成することも可能である。
【００５０】
図２は、環境制御装置２の具体的な動作を示す図である。環境制御装置２は、ユーザインターフェース２１とエキスパートシステム２２とデバイス監視制御システム２３とが、ソフトウェアの実行によって達成される。
ユーザインターフェース２１は、表１および表２に示される構成と機能を達成する。
【００５１】
【表１】
2006231049.tif 000003
【００５２】
【表２】
2006231049.tif 000004
【００５３】
エキスパートシステム２２は、基本機能である定常機能２５と、見守り機能２６と、省エネルギ機能２７と、停電関連機能２８とを達成する。
【００５４】
【表３】
2006231049.tif 000005
【００５５】
表３においてＵＰＳ機能というのは、無停電機能を表す。
デバイス監視制御システム２３は、赤外線遠隔制御手段８，９を備える赤外線リモコン制御３１と、モデム１４のための制御３２との各システムを備える。さらにシミュレータ用処理手段１２は、仮想上の動作を行わせるデバイス監視制御システム３３、ネットワーク制御システム３４、仮想デバイス制御システム３５などとを備える。
【００５６】
図３は、環境制御装置２の全体制御プロセスのフローによる動作を示す図である。時計手段などのタイマ４１、電子機器などのデバイスおよびシミュレータ用処理手段１２による仮想デバイス４２、子機スイッチ１による被支援者のユーザ操作４３などは、環境制御装置２のプロセス４４に与えられる。デバイスおよび仮想デバイス４２では、各電子機器の動作状態を表す信号が出力されて環境監視制御装置２に与えられる。この環境制御装置２にはまた、共有データのデータベース４５が接続され、さらにエキスパートシステム２２が備えられる。エキスパートシステム２２の実行によって、学習演算処理が行われる。
【００５７】
本発明は、呼気スイッチ１だけでなくそのほかの構成を有する操作手段に関連して広範囲に実施することができる。
【００５８】
図４〜図８は、本発明の図１〜図３に示される実施の形態における操作シナリオを示す図である。これらの図４〜図８におけるステップであるシーン番号ａ１〜ａ３０は、表４および表５に示される動作が達成される。表４および表５においてＴＶは、テレビジョン受信動作を表す。ノートパソコンというのは、シミュレーション用処理手段１２への一例として用いられるノート形携帯用パーソナルコンピュータを表す。
【００５９】
【表４】
2006231049.tif 000006
【００６０】
【表５】
2006231049.tif 000007
【００６１】
これらの図４〜図８を参照して、ステップａ０では、操作シナリオの動作が開始される。先ず図４において、ステップａ１では、画面には環境制御装置（以下ＥＣＳ）の待機画面（時計とReminder）が表示されている。ステップａ２では、操作介入が行われる。ステップａ２１では、呼気スイッチを使って操作介入する（ソフトウェア割込みを入れる）。ステップａ２２では、画面がＥＣＳ操作画面に切替り、最上位メニューに「テレビ操作」が表示される。図１０を参照。
【００６２】
ステップａ３では、テレビ（情報家電）の操作機能をデモする。ステップａ３１では、最上位メニューから「テレビ操作」を選択する。
【００６３】
ステップａ３２では、switch（テレビ電源の状態）に関して２つの場合ａ３２１，ａ３３１がある。
【００６４】
cace ＯＦＦの場合：
ステップａ３２１では、ＥＣＳがテレビ電源をＯＮにする。図１１を参照。ステップａ３２２では、画面に「チャンネル」メニューが表示される。図１２を参照。ステップａ３２３では、呼気スイッチを使ってチャンネルを変える。
ステップａ３２４では、画面がテレビ画面に切替る。
【００６５】
case ＯＮの場合：
ステップａ３３１では、テレビ電源はそのままとする。ステップａ３３２では、画面に「テレビ操作」メニューが表示される。図１１を参照。ステップａ３３３では、呼気スイッチを使ってチャンネルを変え、ボリュームを調節する。図１１および図１２を参照。ステップａ３３４では、画面がテレビ画面に切替る。
【００６６】
ステップａ４では、外線から電話がかかってくる。
ステップａ５では、外線電話への応答準備を行う。ステップａ５１では、ＥＣＳが電話を検知する。
【００６７】
ステップａ５２では、画面がＥＣＳの操作画面に変わり、画面に相手の名前が表示される。図１３を参照。ステップａ５３では、最上位メニューに「電話に出る」が表示される。
【００６８】
ステップａ６では、外線電話への応答機能をデモする。２つの場合ａ６１，ａ６５がある。
【００６９】
case 電話を取る場合：
ステップａ６１では、最上位メニューから「電話に出る」を選択する。画面がテレビ画面に切替り、音量がゼロ（消音）になる。ステップａ６２では、電話（スピーカーとマイク）で話す。
【００７０】
ステップａ６３では、電話を切る。switch（電話の切り方）について２つのときａ６３１，ａ６４１がある。図１４を参照。
【００７１】
図５を参照して、case 相手が切る場合：
ステップａ６３１では、ＥＣＳが電話の切断を検知する。図１５を参照。ステップａ６３２では、画面がテレビ画面に切替り、音量が復帰する。
【００７２】
case 自分が切る場合：
ステップａ６４１では、呼気スイッチを使って操作介入する。画面がＥＣＳ操作画面に切替り、最上位メニューに「電話を切る」が表示される。図１４を参照。ステップａ６４２では、最上位メニューから「電話を切る」を選択する。ステップａ６４３では、画面がテレビ画面に切替り、音量が復帰する。
【００７３】
case 電話を取らない場合：図１３を参照。
ステップａ６５では、電話を切る。switch（電話の切り方）について２つのときａ６５１，ａ６６１がある。
【００７４】
case 相手から切る場合：
ステップａ６５１では、ＥＣＳが電話の切断を検知する。図１５を参照。ステップａ６５２では、画面がテレビ画面に切替り、音量が復帰する。ステップａ６５３では、受電記録を残す。
【００７５】
case 相手が切らない場合：
ステップａ６６１では、ＥＣＳがタイムアウトを検出する。ステップａ６６２では、自動音声で応答してから電話を切る。図１３を参照。ステップａ６６３では、画面がテレビ画面に切替り、音声が復帰する。ステップａ６６４では、受電記録を残す。
【００７６】
ステップａ９では、テレビを見ている。図１６を参照。
ステップａ１０では、温度監視機能を行う。ステップａ１０１では、シミュレータ（ノートパソコン）側で環境温度（室温）を「××℃」に下げる。ステップａ１０２では、ＥＣＳが環境温度の低下を検知する。ステップａ１０３では、画面がＥＣＳ操作画面に切替り、画面に「室温が××℃に下がっています」が表示される。図７を参照。ステップａ１０４では、最上位メニューに「エアコンを付ける」が表示される。図１８を参照。
【００７７】
ステップａ１１では、エアコンである空気調和装置を操作する。
ステップａ１１１では、最上位メニューから「エアコンを付ける」を選択する。図１０を参照。ステップａ１１２では、ＥＣＳがエアコンをオンにする。
ステップａ１１３では、環境温度が「××℃」に上がる。ステップａ１１４では、画面がテレビ画面に復帰する。ステップａ１２では、電力監視機能を行う。
【００７８】
図６を参照して、ステップａ１５では、テレビを見ている。図１６を参照。
ステップａ１６では、来客への応対機能を行う。
【００７９】
ステップａ１６１では、来客が玄関先インターホンの呼鈴を押す。図１９を参照。ステップａ１６２では、ＥＣＳが来客を検知する。ステップａ１６３では、画面がＥＣＳ操作画面に切替り、画面に「来客です」が表示される。ステップａ１６４では、最上位メニューに「インターホンにつなぐ」が表示される。図２０および図２１を参照。
【００８０】
ステップａ１７では、来客への対応機能を行う。ステップａ１７１では、最上位メニューから「インターホンにつなぐ」を選択する。図１０を参照。ステップａ１７２では、画面がインターホン画面に切替る。図２１を参照。ステップａ１７３では、来客とインターホン（スピーカーとマイクロホン）で話す。
【００８１】
ステップａ１８では、玄関ドアの操作機能を行う。
図７を参照して、ステップａ２２では、テレビを見ている。図１６参照。
【００８２】
ステップａ２３では、ヘルパー対応機能を行う。ステップａ２３１では、シミュレータ（ノートパソコン）側で環境時刻を進める。ステップａ２３２では、ＥＣＳが、スケジューリング機能によってヘルパーさんの来る時間を検知する。
ステップａ２３３では、画面がＥＣＳ操作画面に切替り、画面に「間もなくヘルパーさんが来ます」が表示される。ステップａ２３４では、最上位メニューに「エアコンを２２℃で運転する」が表示される。
【００８３】
ステップａ２３５では、エアコンの設定温度を上げる。switch（ユーザ指示）による。
case 「エアコンを２２℃で運転する」を選択：
case タイムアウト：
ステップａ２３６では、ＥＣＳがエアコンの設定温度を２２℃に設定する。
【００８４】
case「エアコンを設定温度（１８℃）のまま運転する」を選択：
ステップａ２３７では、ＥＣＳがエアコンの設定温度をそのままにする。
【００８５】
ステップａ２４では、テレビを見ている。図１６を参照。
ステップａ２５では、無停電電源ＵＰＳ機能を行う。
【００８６】
ステップａ２５１では、シミュレータ（ノートパソコン）側で停電状態を設定する。ステップａ２５２では、ＥＣＳが停電を検知する。ステップａ２５３では、画面がＥＣＳ非常モード画面に切替り、画面に「停電しました」が表示される。図２２を参照。ステップａ２５４では、ＥＣＳが仮想エアコン等の大電力消費機器を無条件でオフにする。
【００８７】
ステップａ２６では、非常通報機能を行う。図２３を参照。
図８を参照して、ステップａ２６１では、数分待つ。ステップａ２６２では、画面がＥＣＳ操作画面に変わり、画面に「停電が復旧しないようです」が表示される。ステップａ２６３では、最上位メニューに「非常連絡先に電話する」「もう少し様子を見る」が表示される。図２３を参照。
【００８８】
ステップａ２６４では、switch（ユーザ指示）による。３つの場合ａ２６５，ａ２６７，ａ２６８がある。
【００８９】
case「非常連絡先に電話する」を選択：
ステップａ２６５では、ＥＣＳが非常連絡先に自動的に電話を架ける。ステップａ２６６では、非常連絡先と電話（スピーカーとマイクロホン）で話す。
【００９０】
case「もう少し様子を見る」を選択：
ステップａ２６７では、そのまま待機する。図２３を参照。
【００９１】
case タイムアウト：
ステップａ２６８では、ＥＣＳが非常連絡先に自動的に電話を架ける。ステップａ２６９では、ＥＣＳが自動音声にて支援要請する。
【００９２】
ステップａ２７では、停電からの自動復旧機能を行う。ステップａ２７１では、シミュレータ（ノートパソコン）側で、ＵＰＳが停電復帰を検出すると、ステップａ２７２では、ＥＣＳが停電からの復帰を検知する。
【００９３】
ステップａ２７３では、画面がＥＣＳ操作画面に変わり、画面に「停電から復帰しました」が表示される。図２４を参照。ステップａ２７４では、ＥＣＳが仮想家電製品（仮想エアコン等）の電源を自動的に復旧する。ステップａ２７５では、最上位メニューに「非常連絡先に電話する」が表示される。
【００９４】
ステップａ２７６では、switch（ユーザ指示）による。２つの場合ａ２７６１，ａ２７７１がある。
【００９５】
case「非常連絡先に電話する」を選択：
ステップａ２７６１では、ＥＣＳが非常連絡先に自動的に電話を架ける。ステップａ２７６２では、非常連絡先と電話（スピーカーとマイク）で話す。
【００９６】
case タイムアウト：
ステップａ２７７１では、ＥＣＳが非常連絡先に自動的に電話を架ける。ステップａ２７７２では、ＥＣＳが自動音声にて停電復帰を連絡する。
【００９７】
ステップａ２８では、行動パターン学習機能を行う。ステップａ２８１では、シミュレータ（ノートパソコン）側で環境時刻を無理矢理夜半に設定する（進める）。
【００９８】
ステップａ２９では、行動パターン学習機能をデモする。ステップａ２９１では、呼気スイッチ１を使って操作介入する。ステップａ２９２では、画面がＥＣＳ操作画面に変わり、最上位メニューに「就寝する」が表示される。図１０（２）を参照。
【００９９】
ステップａ３０では、行動パターン学習機能をデモする。
ステップａ３０１では、最上位メニューから「就寝する」を選択する。図１０（２）を参照。
【０１００】
ステップａ３０２では、ＥＣＳが自動的にテレビ、照明の電源をオフにし、画面がＥＣＳ待機画面に切替る。
【０１０１】
図９は、環境制御装置２によって達成される対話処理メニューの動作を説明するための階層構造を示す図である。図９の初期メニューの表示手段６による画面の画像５１には、ＥＣＳ待機画面およびリマインダによる被呼者の電話番号およびヘルパ訪問の日程などが表示される。このような初期画像５１を、被支援者が見ることによって、予定の把握などを行うことができる。初期画像５１に、図１０（１）および図１０（２）に示される昼間用トップメニューの画像５３および深夜用トップメニューの画像５４が表示される。昼間用トップメニューの画像５３に関連して、電話操作５５、インターホン操作５６、テレビ操作５７、リマインダ（メモ）操作５８、空気調和装置であるエアコン操作５９およびその他の機器操作６０の各画像が表示される。
【０１０２】
電話操作５５の画面に関連して、電話機からダイアルする画像６１、リマインダからダイアルする画像６２、電話番号でダイアルする画像６３が表示される。テレビ操作の画像５７に関連してチャンネル切替えメニューの画像６４が表示される。
【０１０３】
図４〜図８の操作シナリオにおける図１０〜図２４の画像の内容は、事象であるイベント対応メニューと対話処理メニューとに対応して、次のように示されている。
【０１０４】
【表６】
2006231049.tif 000008
【０１０５】
【表７】
2006231049.tif 000009
【０１０６】
図１０は、昼間用および夜間用のトップメニューの画像を示す図である。図１１は、「テレビ操作」メニューの画像を示す図である。図１２は、「チャンネル切替え」メニューを示す画像である。図１３は、電話着信イベント対応メニューの画像を示す図である。図１４は、操作介入イベント（電話中）対応メニューの画像を示す図である。図１５は、電話切断イベント対応メニューの画像を示す図である。図１６は、操作介入イベント（ＴＶ視聴中）対応メニューの画像を示す図である。図１７は、空気調和装置による温度警告イベント対応メニューの画像を示す図である。図１８は、空気調和装置である「エアコン操作」メニューの画像を示す図である。図１９は、インターホン呼鈴イベント対応メニューの画像を示す図である。図２０は、「インターホン操作」メニューの画像を示す図である。図２１は、操作介入インターホン（インターホン通話中）対応メニューの画像を示す図である。図２２は、停電イベント対応メニューの画像を示す図である。図２３は、非常通報イベント対応メニューの画像を示す図である。図２４は、停電イベント対応メニューの画像を示す図である。
【０１０７】
図２５〜図３２は、環境制御装置２の対話処理フローの動作を説明するための図である。先ず図２５のように、ステップｂ０では、環境制御装置の対話処理フローが開始される。
【０１０８】
ステップｂ１では、表示装置の状態を待避する。
ステップｂ２では、表示装置の画面をＥＣＳ操作画面にする。
【０１０９】
ステップｂ３では、画面スタックにメニュー画面を待避させる。
ステップｂ４では、エキスパートシステムに問合せ、最適化された画面オブジェクトを取得する。
【０１１０】
ステップｂ５では、画面オブジェクトに基づきメニュー画面を表示する。
ステップｂ６では、for（戻るが選択されるまで）、次の動作が行われる。ステップｂ６１では、ユーザ指示に基づき下位メニューに遷移する。
switch（メニューの選択結果）による。
【０１１１】
case「電話操作」が選択された場合：
ステップｂ６１１では、画面スタックにメニュー画面を待避させる。ステップｂ６１２では、エキスパートシステムに問合せ、最適化された画面オブジェクトを取得する。ステップｂ６１３では、画面オブジェクトに基づきメニュー画面を表示する。
【０１１２】
ステップｂ６１４では、fo r（戻るが入力されるまで）、次の動作が行われる。ステップｂ６１４１では、ユーザ指示に基づき下位メニューに遷移する。
switch（メニューの選択結果）による。
【０１１３】
case「電話帳からダイヤルする」が選択された場合：
ステップｃ１では、画面スタックにメニュー画面を待避させる。
【０１１４】
ステップｃ２では、電話帳から電話番号一覧を取得する。
ステップｃ３では、電話番号一覧に基づきメニュー画面を表示する。
【０１１５】
ステップｃ４では、ユーザ指示に基づき電話を架ける。
switch（メニューの選択結果）
【０１１６】
case「電話番号１」が選択された場合：
ステップｃ４１では、選択された電話番号に電話を架ける。ステップｃ４２では、相手先と通話する。ステップｃ４３では、電話を切る。
【０１１７】
case 「戻る」が選択された場合：
ステップｃ４４では、何もしない。
ステップｃ５では、画面スタックからメニュー画面を復帰させる。
【０１１８】
case「リマインダからダイヤルする」が選択された場合：
ステップｃ６では、画面スタックにメニュー画面を待避させる。ステップｃ７では、リマインダから電話番号一覧を取得する。ステップｃ８では、電話番号一覧に基づきメニュー画面を表示する。
【０１１９】
図２６を参照して、ステップｃ９では、ユーザ指示に基づき電話を架ける。
switch（メニューの選択結果）による。
【０１２０】
case「電話番号１」が選択された場合：
ステップｃ９１では、選択された電話番号に電話を架ける。ステップｃ９２では、相手先と通話する。ステップｃ９３では、電話を切る。
【０１２１】
case「戻る」が選択された場合：
ステップｃ９４では、何もしない。
ステップｃ１０では、画面スタックからメニュー画面を復帰させる。
【０１２２】
case「電話番号でダイヤルする」が選択された場合：
ステップｃ１０１では、画面スタックにメニュー画面を待避させる。ステップｃ１０２では、テンキー形式の入力画面を表示する。ステップｃ１０３では、入力された電話番号に電話を架ける。ステップｃ１０４では、相手先と通話する。ステップｃ１０５では、電話を切る。ステップｃ１０６では、画面スタックからメニュー画面を復帰させる。
【０１２３】
case「戻る」が選択された場合：
ステップｃ１０７では、何もしない。
break ２
【０１２４】
ステップｂ６１４２では、画面スタックからメニュー画面を復帰させる。
case「インターホン操作」が選択された場合：
ステップｂ６２１では、画面スタックにメニュー画面を待避させる。ステップｂ６２２では、エキスパートシステムに問合せ、最適化された画面オブジェクトを取得する。
【０１２５】
ステップｂ６２３では、画面オブジェクトに基づきメニュー画面を表示する。
ステップｂ６２４では、for（戻るが入力されるまで）
ステップｂ６２４１では、ユーザ指示に基づき下位メニューに遷移する。
switch（メニューの選択結果）による。
【０１２６】
case「インターホンをつなぐ」が選択された場合：
ステップｄ１では、表示装置の画面をインターホン画面に切替える。
【０１２７】
ステップｄ２では、インターホンと接続する。
ステップｄ３では、インターホンで通話する。
【０１２８】
図２７を参照して、ステップｄ４では、インターホンを切る。ステップｄ５では、表示装置の画面をＥＣＳ操作画面に切替える。
【０１２９】
case 「インターホンを切る」が選択された場合：
ステップｄ６では、インターホンを切る。
【０１３０】
case「玄関ドアを施錠する」が選択された場合：
ステップｄ７では、玄関ドアを施錠する。
【０１３１】
case「玄関ドアを解錠する」が選択された場合：
ステップｄ８では、玄関ドアを解錠する。
【０１３２】
case「戻る」が選択された場合：
ステップｄ９では、何もしない。
break ２
【０１３３】
ステップｂ６２５では、画面スタックからメニュー画面を復帰させる。
case「テレビ操作」が選択された場合：
ステップｂ６３１では、画面スタックにメニュー画面を待避させる。
【０１３４】
ステップｂ６３２では、エキスパートシステムに問合せ、最適化された画面オブジェクトを取得する。ステップｂ６３３では、画面オブジェクトに基づきメニュー画面を表示する。
【０１３５】
ステップｂ６３４では、for（戻るが入力されるまで）、次の動作が行われる。
ステップｂ６３４１では、ユーザ指示に基づき下位メニューに遷移する。
switch（メニューの選択結果）による。
【０１３６】
case「チャンネル切替え」が選択された場合：
ステップｅ１では、画面スタックにメニュー画面を待避させる。ステップｅ２では、エキスパートシステムに問合せ、最適化された画面オブジェクトを取得する。ステップｅ３では、画面オブジェクトに基づきメニュー画面を表示する。
ステップｅ４では、ユーザ指示に基づきチャンネルを切替える。
switch（メニューの選択結果）による。
【０１３７】
case「２：ＮＨＫ総合」が選択された場合など：
図２８を参照して、ステップｆ１では、表示装置の画面をテレビ画面に切替える。ステップｆ２では、画面スタックから不要なメニュー画面を削除する。ステップｆ３では、イベント待ちモードに遷移する。
return
【０１３８】
case「戻る」が入力された場合：
ステップｆ４では、何もしない。
ステップｅ５では、画面スタックからメニュー画面を復帰させる。
【０１３９】
case「音を大きくする」が選択された場合：
ステップｅ６では、表示装置の画面をテレビ画面に切替える。ステップｅ７では、表示装置の音量を「××」だけ上げる。ステップｅ８では、画面スタックから不要なメニュー画面を削除する。ステップｅ９では、イベント待ちモードに遷移する。
return
【０１４０】
case「音を小さくする」が選択された場合：
ステップｅ１０では、表示装置の画面をテレビ画面に切替える。ステップｅ１１では、表示装置の音量を「××」だけ下げる。ステップｅ１２では、画面スタックから不要なメニュー画面を削除する。ステップｅ１３では、イベント待ちモードに遷移する。
return
【０１４１】
case「テレビを消す」が選択された場合：
ステップｅ１４では、表示装置の画面をテレビ画面に切替える。ステップｅ１５では、表示装置の電源をＯＦＦにする。ステップｅ１６では、画面スタックから不要なメニュー画面を削除する。ステップｅ１７では、イベント待ちモードに遷移する。
return
【０１４２】
case「消音」が選択された場合：
ステップｅ１８では、表示装置の画面をテレビ画面に切替える。ステップｅ１９では、表示装置の音量を「消音」にする。ステップｅ２０では、画面スタックから不要なメニュー画面を削除する。ステップｅ２１では、イベント待ちモードに遷移する。
return
【０１４３】
case「戻る」が選択された場合：
図２９を参照して、ステップｅ２２では、何もしない。
break ２
【０１４４】
ステップｂ６３５では、画面スタックからメニュー画面を復帰させる。
case「リマインダ操作」が選択された場合：
ステップｂ６４１では、画面スタックにメニュー画面を待避させる。ステップｂ６４２では、エキスパートシステムに問合せ、最適化された画面オブジェクトを取得する。ステップｂ６４３では、画面オブジェクトに基づきメニュー画面を表示する。
【０１４５】
ステップｂ６４４では、for（戻るが入力されるまで）、次の動作が行われる。
ステップｂ６４４１では、ユーザ指示に基づき下位メニューに遷移する。
switch（メニューの選択結果）による。
【０１４６】
case「会話録音を再生する」が選択された場合：
ステップｇ１では、画面スタックにメニュー画面を待避させる。ステップｇ２では、リマインダから会話録音一覧を取得する。ステップｇ３では、会話録音一覧に基づき、メニュー画面を表示する。ステップｇ４では、for（戻るが選択されるまで）、次の動作が行われる。
【０１４７】
ステップｇ４１では、ユーザ指示に会話録音を再生する。
switch（メニューの選択結果）による。
【０１４８】
case「会話録音１」が選択された場合：
ステップｇ４１１では、選択された会話録音を再生する。
【０１４９】
case「戻る」が選択された場合：
ステップｇ４１２では、何もしない。
break ２
【０１５０】
ステップｇ４２では、画面スタックからメニュー画面を復帰させる。
case「メッセージを開く」が選択された場合：
ステップｇ４３では、画面スタックにメニュー画面を待避させる。ステップｇ４４では、リマインダからメッセージ一覧を取得する。ステップｇ４５では、メッセージ一覧に基づきメニュー画面を表示する。
【０１５１】
ステップｇ４６では、for（戻るが選択されるまで）、次の動作が行われる
ステップｇ４６１では、ユーザ指示にメッセージを表示する。
switch（メニューの選択結果）による。
【０１５２】
case「メッセージ１」が選択された場合：
図３０を参照して、ステップｇ４６１１では、選択されたメッセージを表示する。
【０１５３】
case「戻る」が選択された場合：
ステップｇ４６１２では、何もしない。
break ２
【０１５４】
ステップｇ４６１３では、画面スタックからメニュー画面を復帰させる。
case「戻る」が選択された場合：
ステップｇ４６１４では、何もしない。
break ２
【０１５５】
ステップｂ６４５では、画面スタックからメニュー画面を復帰させる。
case「エアコン操作」が選択された場合：
ステップｂ６５１では、画面スタックにメニュー画面を待避させる。ステップｂ６５２では、エキスパートシステムに問合せ、最適化された画面オブジェクトを取得する。ステップｂ６５３では、画面オブジェクトに基づきメニュー画面を表示する。
【０１５６】
ステップｂ６５４では、for（戻るが入力されるまで）、次の動作が行われる。ステップｂ６５４１では、ユーザ指示に基づき下位メニューに遷移する。
switch（メニューの選択結果）
【０１５７】
case「エアコンを付ける」が選択された場合：
ステップｈ１では、エアコンの電源をＯＮにする。
【０１５８】
case「エアコンを切る」が選択された場合：
ステップｈ２では、エアコンの電源をＯＦＦにする。
【０１５９】
case「エアコンの設定温度を変更する」が選択された場合：
ステップｈ３では、画面スタックにメニュー画面を待避させる。
【０１６０】
ステップｈ４では、テンキー形の入力画面を表示する。
ステップｈ５では、エアコンの設定温度を変更する。
ステップｈ６では、画面スタックからメニュー画面を復帰させる。
【０１６１】
case「冷房モードにする」が選択された場合：
ステップｈ７では、エアコンを冷房モードにする。
【０１６２】
case「暖房モードにする」が選択された場合：
ステップｈ８では、エアコンを暖房モードにする。
【０１６３】
case「除湿モードにする」が選択された場合：
図３１を参照して、ステップｈ９では、エアコンを除湿モードにする。
【０１６４】
case「戻る」が選択された場合：
ステップｈ１０では、何もしない。
break ２
【０１６５】
ステップｂ６５５では、画面スタックからメニュー画面を復帰させる。
case「その他の機器操作」が選択された場合：
ステップｂ６６１では、画面スタックにメニュー画面を待避させる。
【０１６６】
ステップｂ６６２では、エキスパートシステムに問合せ、最適化された画面オブジェクトを取得する。
【０１６７】
ステップｂ６６３では、画面オブジェクトに基づきメニュー画面を表示する。
ステップｂ６６４では、for（戻るが入力されるまで）、次の動作が行われる。
ステップｂ６６４１では、ユーザ指示に基づき下位メニューに遷移する。
switch（メニューの選択結果）
【０１６８】
case「ドライヤー操作」が選択された場合：
ステップｉ１では、画面スタックにメニュー画面を待避させる。ステップｉ２では、エキスパートシステムに問合せ、最適化された画面オブジェクトを取得する。ステップｉ３では、画面オブジェクトに基づきメニュー画面を表示する。
【０１６９】
ステップｉ４では、for（戻るが選択されるまで）、次の動作が行われる。
ステップｉ４１では、ユーザ指示に会話録音を再生する。
switch（メニューの選択結果）
【０１７０】
case「機器操作１」が選択された場合：
ステップｉ４２では、選択された機器操作を行う。
【０１７１】
case「戻る」が選択された場合：
ステップｉ４３では、何もしない。
break ２
【０１７２】
ステップｉ５では、画面スタックからメニュー画面を復帰させる。
case「戻る」が選択された場合：
ステップｉ６では、何もしない。
break ２
【０１７３】
ステップｂ６６５では、画面スタックからメニュー画面を復帰させる。
図３２を参照して、case「戻る」が選択された場合：
ステップｂ６６５１では、何もしない。
break ２
【０１７４】
ステップｂ７では、画面スタックからメニュー画面を復帰させる。
図３３〜図３６は、環境制御装置２のイベント処理ループを示す図である。ステップｑ０からステップｑ１に進み、発生したイベントに応じて情報家電（ハードウエア）を監視・制御する。
【０１７５】
ステップｑ１１では、スイッチによるイベントの種類を判断する。電話着信イベントであるとき、ステップｑ１１１では、エキスパートシステムに問合せ、最適化された画面オブジェクトを取得する。ステップｑ１１２では、画面オブジェクトに基づきメニュー画面を表示する。ステップｑ１１３では、ユーザ指示に基づき電話に応答する。スイッチによるメニューの選択結果において「電話に出る」が選択された場合、ステップｒ１では、表示装置の画面をテレビ画面に切替え、音量をゼロ（消音）にする。ステップｒ２では、通話を接続する。「電話を無視する」が選択された場合、ステップｒ３では、相手先が電話を切るか、タイムアウトを待って通話を切断する。「留守応答をする」が選択された場合、およびタイムアウトになった場合、ステップｒ４では、通話を接続する。ステップｒ５では、自動音声にて留守応答する。ステップｒ６では、相手先からの伝言メッセージを自動録音する。ステップｒ７では、相手先が電話を切るか、タイムアウトを待って通話を切断する。ステップｒ８では、リマインダに通話記録を残す。ステップｑ１１４では、表示装置の画面・音量を直前の状態に復帰させる。
【０１７６】
電話切断イベントであるとき、ステップｑ１２１では、エキスパートシステムに問合せ、最適化された画面オブジェクトを取得する。ステップｑ１２２では、画面オブジェクトに基づきメニュー画面を表示する。ステップｑ１２３では、ユーザ指示に基づき電話の後処理を行う。スイッチによるメニューの選択結果において「了解」が選択された場合、およびタイムアウトになった場合、ステップｒ９では、通話録音中の場合は自動録音を終了する。ステップｑ１２４では、表示装置の画面・音量を直前の自動録音に復帰させる。
【０１７７】
インターホン呼鈴イベントであるとき、ステップｑ１３１では、エキスパートシステムに問合せ、最適化された画面オブジェクトを取得する。ステップｑ１３２では、画面オブジェクトに基づきメニュー画面を表示する。ステップｑ１３３では、ユーザ指示に基づきインターホンに応答する。
【０１７８】
図３４を参照して、スイッチによるメニューの選択結果において「インターホンに出る」が選択された場合、ステップｒ１１では、表示装置の画面をインターホン画面に切替える。ステップｒ１２では、インターホンとの通話を接続する。「留守応答をする」が選択された場合、およびタイムアウトになった場合、ステップｒ１３ではインターホンとの通話を接続する。ステップｒ１４では、自動音声にて留守応答する。ステップｒ１５では、来客の伝言メッセージを自動録音する。ステップｒ１６では、インターホンとの通話を切断する。ステップｒ１７では、リマインダに来客記録を残す。ステップｑ１３４では、表示装置の画面・音量を直前の状態に復帰させる。
【０１７９】
インターホン切断イベントであるとき、ステップｑ１４１では、エキスパートシステムに問合せ、最適化された画面オブジェクトを取得する。ステップｑ１４２では、画面オブジェクトに基づきメニュー画面を表示する。ステップｑ１４３では、ユーザ指示に基づきインターホン通話の後処理を行う。スイッチによるメニューの選択結果において「了解」が選択された場合、およびタイムアウトになった場合、ステップｒ１８では、通話録音中の場合は自動録音を終了する。ステップｑ１４４では、表示装置の画面・音量を直前の状態に復帰させる。
【０１８０】
電気錠施錠忘れイベントであるとき、また、動作が行われる。
図３５を参照して、停電イベントであるとき、ステップｑ１５１では、エキスパートシステムに問合せ、最適化された画面オブジェクトを取得する。ステップｑ１５２では、画面オブジェクトに基づきメニュー画面を表示する。ステップｑ１５３では、停電を報告する。スイッチによるメニューの選択結果において「戻る」が選択された場合、およびタイムアウトになった場合、ステップｒ２１では何もしない。ステップｑ１５４では、表示装置の画面・音量を直前の状態に復帰させる。
【０１８１】
復電イベントであるとき、ステップｑ１６１では、エキスパートシステムに問合せ、最適化された画面オブジェクトを取得する。ステップｑ１６２では、画面オブジェクトに基づきメニュー画面を表示する。ステップｑ１６３では、ユーザ指示に基づき復電時の対策をする。スイッチによるメニューの選択結果において「非常連絡先に電話する」が選択された場合、ステップｒ２２では、非常連絡先に電話する。ステップｒ２３では、自動音声にて復電した旨を報告する。ステップｒ２４では、電話を切る。「戻る」が選択された場合、ステップｒ２５では何もしない。
【０１８２】
非常通報イベントであるとき、ステップｑ１７１では、エキスパートシステムに問合せ、最適化された画面オブジェクトを取得する。ステップｑ１７２では、画面オブジェクトに基づきメニュー画面を表示する。ステップｑ１７３では、ユーザ指示に基づき非常通報を行う。スイッチによるメニューの選択結果において「非常連絡先に電話する」が選択された場合、ステップｒ２６では、非常連絡先に電話する。ステップｒ２７では、自動音声にて停電が復旧しない旨を報告する。ステップｒ２８では、電話を切る。「もう少し様子を見る」が選択された場合、および「戻る」が選択された場合、ステップｒ２９では何もしない。ステップｑ１７４では、表示装置の画面・音量を直前の状態に復帰させる。
【０１８３】
電力超過イベントであるとき、また、動作が行われる。
図３６を参照して、温度警告イベントであるとき、ステップｑ１８１では、エキスパートシステムに問合せ、最適化された画面オブジェクトを取得する。ステップｑ１８２では、画面オブジェクトに基づきメニュー画面を表示する。ステップｑ１８３では、ユーザ指示に基づき温度警告への対応を行う。スイッチによるメニューの選択結果において「エアコンをＯＮにする」が選択された場合、ステップｒ３１では、仮想エアコン（シミュレータ）に電源をＯＮにするよう指示する。「エアコンを通常モードにする」が選択された場合の動作が行われる。
【０１８４】
リマインダ・プロセスによるリマインダ・イベントであるときの動作が行われる。
図３７および図３８は、環境制御装置２のエキスパートシステム２２によって達成されるエキスパートシステムプロセスの処理フローを示す図である。図３７を参照して、ステップｍ０では、エキスパートシステム・プロセスの処理フローを開始する。ステップｍ１では、ＥＣＳプロセス／見守りプロセスからの要求に応じてメニュー（コマンドリスト）の最適化／日常逸脱検知を行う。
for（他プロセスからの要求を待つ）
【０１８５】
ステップｍ２では、要求の種類を実行する。
ステップｍ３では、switch（メニューの種類）
【０１８６】
case「チャンネル切替え」メニュー：
ステップｍ４では、過去のチャンネル切替え履歴を取得する。ステップｍ５では、過去のチャンネル切替えの曜日／時刻などを参考にしてチャンネルの優先度を計算する。
ステップｍ６では、最適化したメニュー（画面オブジェクト）を返却する。
【０１８７】
case「電力超過イベント」対応メニュー：
ステップｍ７では、仮想デバイスの状態を取得する。ステップｍ８では、各機器の現在の稼動状態とスペックにより節電操作可能な機器候補を判断、過去の機器稼動パターンの分析結果に基づき節電機器の優先度を計算する。
ステップｍ９では、最適化したメニュー（画面オブジェクト）を返却する。
【０１８８】
case「電力超過解消イベント」対応メニュー：
ステップｍ１０では、仮想デバイスの状態を取得する。ステップｍ１１では、各機器の現在の稼動状態とスペックにより節電操作可能な機器候補を判断、過去の機器稼動パターンの分析結果に基づき節電機器の優先度を計算する。ステップｍ１２では、最適化したメニュー（画面オブジェクト）を返却する。
【０１８９】
case「電話帳からダイヤルする」メニュー：
ステップｍ１３では、過去のダイヤル履歴を取得する。ステップｍ１４では、過去にダイヤルした相手の分析結果に基づき電話番号の候補を推定する。ステップｍ１５では、最適化したメニュー（画面オブジェクト）を返却する。
【０１９０】
case「リマインダからダイヤルする」メニュー：
ステップｍ１６では、過去のダイヤル履歴を取得する。ステップｍ１７では、過去にダイヤルした相手の分析結果に基づき電話番号の候補を推定する。ステップｍ１８では、最適化したメニュー（画面オブジェクト）を返却する。
【０１９１】
default:
図３８を参照して、ステップｍ１９では、何もしない。
【０１９２】
case 日常逸脱検知：
ステップｍ４１では、仮想デバイスの状態を取得する。ステップｍ２では、特定時間内に実行されたアクションの履歴を取得する。ステップｍ３では、取得した情報を分析し日常行動からの逸脱度合いを計算する。
ステップｍ４では、switch（逸脱度合い）
【０１９３】
case 高い：
ステップｍ５１では、見守りプロセスに対して「異常事態」を返却する。
【０１９４】
default:
ステップｍ５２では、見守りプロセスに対して「異常なし」を返却する。
【０１９５】
図３９は、環境制御装置２によって実行される見守り機能プロセスの処理フローを示す図である。ステップｎ０では、見守りプロセスの処理フローを開始する。ステップｎ１では、定期的にエキスパートシステムに問合せ日常行動からの逸脱を監視する。
【０１９６】
for（３０分おきに）
ステップｎ２では、エキスパートシステムに日常行動からの逸脱がないかを問合せる。
ステップｎ３では、switch（エキスパートシステムからの回答）
【０１９７】
case 逸脱あり：
ステップｎ４では、リマインダに文字メモを登録する。ステップｎ５では、文字メモにアクションを設定する。ステップｎ６では、文字メモにアクションを追加する。ステップｎ７では、リマインダから渡されたイベントＩＤを使って見守りイベントを発生させる。
【０１９８】
case 異常なし：
ステップｎ８では、何もしない。
【０１９９】
図４０は、環境制御装置２によって実行される実デバイスの処理フローの動作を説明するための図である。ステップｐ０では、実デバイス・プロセスの処理フローを開始する。ステップｐ１では、ＥＣＳプロセスからの要求に応じて実デバイスの制御を行うとともに、ハードウェア割込みに対応したイベントを発生させる。
【０２００】
for（ＥＣＳプロセスからの要求およびハードウェア割込みを待つ）
ステップｐ２では、switch（機能種別）
【０２０１】
case ハードウェア割込みのハンドリング：
ステップｐ３では、switch（ハードウェア割込みの種類）
【０２０２】
case 電話着信：
ステップｐ４では、電話着信イベントを発生させる。
【０２０３】
case 電話切断：
ステップｐ５では、電話切断イベントを発生させる。
【０２０４】
case インターホン呼鈴：
ステップｐ６では、インターホン呼鈴イベントを発生させる。
【０２０５】
case インターホン切断：
ステップｐ７では、インターホン切断イベントを発生させる。
【０２０６】
case ハードウェアの制御：
ステップｐ８では、switch（要求の種類）
【０２０７】
case 電話を架ける：
ステップｐ９では、ＴＡＰＩモデムを使って電話を架ける。ステップｐ１０では、通話を接続する。
【０２０８】
case 電話を切る：
ステップｐ１１では、ＴＡＰＩモデムを使って電話を切る。
【０２０９】
case インターホンをつなぐ：
ステップｐ１２では、ＴＡＰＩモデムを使ってインターホンをつなぐ。
【０２１０】
ca se インターホンを切る：
ステップｐ１３では、ＴＡＰＩモデムを使ってインターホンを切る。
【０２１１】
case 玄関ドアを施錠する：
ステップｐ１４では、ＴＡＰＩモデムを使ってインターホンに電話をかける。ステップｐ１５では、玄関ドアを施錠する。ステップｐ１６では、インターホンを切る。
【０２１２】
case 玄関ドアを解錠する：
ステップｐ１７では、ＴＡＰＩモデムを使ってインターホンに電話を架ける。ステップｐ１８では、玄関ドアを解錠する。ステップｐ１９では、インターホンを切る。
【０２１３】
case テレビのリモコン操作：
ステップｐ２０では、赤外線リモコンを使ってテレビを操作する。ステップｐ２１では、操作内容に応じて仮想テレビの状態を更新する。
【０２１４】
case 仮想デバイス操作：
ステップｐ２２では、コマンドに応じて仮想デバイスの状態を更新する。
【０２１５】
本発明では、上述の説明では、仮想デバイスに関連して本発明の実施の形態が説明されたけれども、本発明の実施の他の形態では、実際の電気機器である実デバイスが運転制御されるように構成されてもよいのは勿論である。
【０２１６】
環境制御装置２では、被支援者の操作性を向上するために、表示手段６では、電子機器の特性に対応して、たとえばその電子機器がオンの動作中であるならば、表示手段６では、その電子機器が次にオフになるためのオフのための操作のための表示を行うようにする。さらに環境制御装置２では、被支援者の個人のデータベースに基づき、その被支援者の生活パターンから、たとえば夜７時頃には、テレビジョン受信機４ｆをオンにする動作を行い、たとえば２チャネルのテレビジョン放送を聴取するというデータが、学習によってストアされる。したがってこのような被支援者のデータベースが作成されるようにして、夜７時頃になれば、テレビジョン受信機４ｆの選択スイッチの表示を優先順位が高い位置にもたらし、さらにその時刻において聴取される放送局のチャネルを優先順位が高い位置にもたらす。これによって操作性の向上を図ることができる。さらに被支援者のデータベースとして、日常の逸脱行為のほかに、その動作の異常を検出するように、データベースを利用することもまた可能である。このように本発明によれば、環境制御装置２における学習機能によって、被支援者が、今、何をしたいかを素早く演算して求め、その操作の可能性が高い選択入力部を、表示装置６によって高い優先順位で表示し、これによって被支援者は、遠隔制御手段８，９またはスピーカ／マイクロホン１１を用いて入力操作し易くすることを可能にする。特に本発明では、電子機器の動作状態、被支援者が存在する部屋の温度などの環境状態、１日、１週間および１年間などの計時する時計手段の時刻データなどに基づき、学習によって得られたデータから、被支援者が希望する高い優先順位の操作を推論して演算し、求める。さらに現在の状況と被支援者の入力操作とから、前述の推論した入力操作と大きく乖離を推論することもまた可能である。被支援者が操作する動作を高い優先順位で推論するには、電子機器の状態、部屋の温度などの環境状態、時計手段およびさらには被支援者の体温などの状況に基づいて求めるようにしてもよい。
【０２１７】
さらに本発明では、このような各種の状況の推論結果に基づき、たとえば空気調和装置によって被支援者が存在する部屋の温度が高い温度に到達しているにもかかわらず、被支援者が部屋の温度をさらに高くするように入力操作を行ったことを検出し、これによって被支援者が異常状態であることを判断するように構成することもまた、可能である。
【０２１８】
このような被支援者のための操作によるコマンドの推定と、こうして推定されたコマンドと、被支援者によって実際に入力操作された入力情報との類似度を演算して求め、こうして被支援者の異常状態が生じたかどうさかを判断することができる。さらにこれらの被支援者のコマンド入力の学習を行う。これらのコマンド推定、類似度の演算およびコマンド学習を以下に説明する。先ず、コマンド推定を説明する。
【０２１９】
（Ｓ１）コマンドを推定すべき［日付、曜日、時刻］が与えられたとき、記憶されているコマンド事例について、（Ｔ１）〜（Ｔ３）に後述する事例信頼度と曜日類似度および時刻類似度を（Ｇ２）に後述する方法で合算し、その計算値をもってコマンド類似度とする。
【０２２０】
（Ｓ２）コマンド類似度の大きいものから事前に設定された個数のコマンドを提示する、あるいは、事前に設定された類似度の閾値を超えたコマンドを提示する、あるいはこの組合せ（両条件の論理積あるいは論理和）でコマンドを選択するなどの方法により、コマンドを推定する。
【０２２１】
（Ｓ３）（Ｓ２）において、（Ｔ４）に後述するようなコマンド階層情報を用いて、ある親コマンドの子コマンドがすべて（あるいは事前に設定した出現割合以上）（Ｓ２）のコマンド推定結果に現れるときには、複数の子コマンドに変わって親コマンドで代表することにより、類似かつ選択の曖昧性（揺らぎ）のあるコマンドを総括し、同じ推定候補数の中で、候補のバリエーション（異なった傾向＝異なったコマンド階層の異なったコマンドが出現する傾向）と推定の精度（推定すべきコマンドが候補の上位に含まれる傾向）の両立を図ることができる。
【０２２２】
図４１は、環境制御装置２おいて実行されるコマンドの階層情報を示す図である。コマンドの詳細さと上位・下位概念を、階層構造で定義される。
【０２２３】
（Ｓ４）（Ｓ３）で親コマンドで子コマンドを代表するだけでなく孫コマンドを（２世代に溯って）代表させることも同様に可能であるが、推定の精度が低下する（抽象度のズレが大きくなる）ので、このバランス（どの世代まで代表されるか）は（Ｔ４）で定義する階層の世代間ギャップの大きさに応じて適切に設定する。
【０２２４】
次に、類似度の定義を説明する。完全一致のとき１．０、完全不一致のとき０．０となる類似度尺度で説明する。
【０２２５】
（Ｔ１）事例信頼性：コマンド事例の登録後の時間経過に応じて信頼度を定義する。信頼度は過去に登録されたものほど低下する。たとえば、１カ月以内に登録されたものは１．０、３カ月以内は０．８、６カ月以内は０．５、１年以内は０．２、それ以上は０．０あるいは０．１などとし、これらの設定点以外の時間経過における信頼度は、ステップ状あるいは（Ｇ３）で後述するニューラルネットなどを用いた任意の連続関数で補完するように定義することができる。
【０２２６】
（Ｔ２）曜日類似度：曜日の差異による類似度を定義する。たとえば同じ曜日は１．０、違う曜日でも週末／週日の区別が同じものは０．７、それ以外は０．３などとする。利用者の生活パターンに応じた曜日区分（たとえば月・水・金は午後から用事の日とか、日曜と水曜が休業日とか）が設定された場合には、同じ曜日区分に属するものに個別の類似度を定義することもできる。区分毎の類似度の配分係数は（Ｇ３）で後述するニューラルネットなどを用いた任意の非線形結合関数で定義することができる。
【０２２７】
（Ｔ３）時刻類似度：時刻の差異による類似度を定義する。たとえば、５分以内は１．０、１５分以内は０．８、３０分以内は０．６、１時間以内は０．５、半日以内は０．３、それ以上は０．１などとし、これらの設定点以外の時間差による類似度は、（Ｔ１）と同じくステップ状あるいは任意の連続関数で補完できる。
【０２２８】
（Ｔ４）コマンド階層情報：コマンドの詳細さと上位・下位概念を階層構造が図４１に示したような構造で定義されている。たとえば、個別のチャネル設定コマンドが（Ｓ２）の結果に多く含まれ、一覧できる程度の候補リストがチャネル選択コマンドで埋められているような場合でも、これらに代わって、その上位にあたるチャネル設定コマンドを代表の推定結果とすることにより、チャネル設定コマンド以外のコマンド（たとえばエアコン停止コマンドなど）を一覧できる程度の候補リストの中に収めることが可能となる。
【０２２９】
コマンド学習を説明する。
（Ｇ１）コマンドの実行が行われたときには、その［日付、曜日、時刻、コマンド］のリストを記憶しておくことによりコマンド事例とする。
【０２３０】
（Ｇ２）合算の方法としては、各程度の乗算（類似度の定義を、完全一致が１．０、完全異質が０．０とするとき、すべてが完全一致＝１．０なら総計＝乗算も１．０となる）や加算（類似度の定義を、完全一致を０．０、差異が大きくなるほど類似度が無限に大きくなるような定義の場合。すべてが完全一致＝０．０なら総計＝加算も０．０となる）などの簡易な方法でもよいが、これらの複数の類似度を入力としてコマンド類似度を出力とする複数入力の非線形関数を、たとえば乗算のロジックに代わってニュートラルネットワークを用いて実装すれば、蓄積されているコマンド事例（および利用に従って追加される事例）に基づき学習させることも可能となる。
【０２３１】
（Ｇ３）（Ｇ２）で述べた合算の方法（異なる尺度の統合方法）の学習と並行して、あるいはその収束後、（Ｔ１）〜（Ｔ３）で述べた日時差、曜日差および時刻差から類似度を計算する非線形関数を、たとえばニュートラルネットを用いて実装・学習させることができる。
【図面の簡単な説明】
【０２３２】
【図１】本発明の実施の一形態の全体の構成を示すブロック図である。
【図２】環境制御装置２の具体的な動作を示す図である。
【図３】環境制御装置２の全体制御プロセスのフローによる動作を示す図である。
【図４】本発明の図１〜図３に示される実施の形態における操作シナリオを示す図である。
【図５】本発明の図１〜図３に示される実施の形態における操作シナリオを示す図である。
【図６】本発明の図１〜図３に示される実施の形態における操作シナリオを示す図である。
【図７】本発明の図１〜図３に示される実施の形態における操作シナリオを示す図である。
【図８】本発明の図１〜図３に示される実施の形態における操作シナリオを示す図である。
【図９】環境制御装置２によって達成される対話処理メニューの動作を説明するための階層構造を示す図である。
【図１０】昼間用および夜間用のトップメニューの画像を示す図である。
【図１１】「テレビ操作」メニューの画像を示す図である。
【図１２】「チャンネル切替え」メニューを示す画像である。
【図１３】電話着信イベント対応メニューの画像を示す図である。
【図１４】操作介入イベント（電話中）対応メニューの画像を示す図である。
【図１５】電話切断イベント対応メニューの画像を示す図である。
【図１６】操作介入イベント（ＴＶ視聴中）対応メニューの画像を示す図である。
【図１７】空気調和装置による温度警告イベント対応メニューの画像を示す図である。
【図１８】空気調和装置である「エアコン操作」メニューの画像を示す図である。
【図１９】インターホン呼鈴イベント対応メニューの画像を示す図である。
【図２０】「インターホン操作」メニューの画像を示す図である。
【０２３３】
【図２１】操作介入インターホン（インターホン通話中）対応メニューの画像を示す図である。
【図２２】停電イベント対応メニューの画像を示す図である。
【図２３】非常通報イベント対応メニューの画像を示す図である。
【図２４】停電イベント対応メニューの画像を示す図である。
【図２５】環境制御装置２の対話処理フローの動作を説明するための図である。
【図２６】環境制御装置２の対話処理フローの動作を説明するための図である。
【図２７】環境制御装置２の対話処理フローの動作を説明するための図である。
【図２８】環境制御装置２の対話処理フローの動作を説明するための図である。
【図２９】環境制御装置２の対話処理フローの動作を説明するための図である。
【図３０】環境制御装置２の対話処理フローの動作を説明するための図である。
【図３１】環境制御装置２の対話処理フローの動作を説明するための図である。
【図３２】環境制御装置２の対話処理フローの動作を説明するための図である。
【図３３】環境制御装置２のイベント処理ループを示す図である。
【図３４】環境制御装置２のイベント処理ループを示す図である。
【図３５】環境制御装置２のイベント処理ループを示す図である。
【図３６】環境制御装置２のイベント処理ループを示す図である。
【図３７】環境制御装置２のエキスパートシステム２２によって達成されるエキスパートシステムプロセスの処理フローを示す図である。
【図３８】環境制御装置２のエキスパートシステム２２によって達成されるエキスパートシステムプロセスの処理フローを示す図である。
【図３９】環境制御装置２によって実行される見守り機能プロセスの処理フローを示す図である。
【図４０】環境制御装置２によって実行される実デバイスの処理フローの動作を説明するための図である。
【０２３４】
【図４１】コマンドの階層情報の構造を示す図である。
【符号の説明】
【０２３５】
１  呼気スイッチ
２  環境制御装置
３  電力線搬送手段
４  電子機器
５  表示装置
６  表示手段
７  コントローラ
８，９  遠隔制御手段
１１  スピーカ・マイクロホン
１２  シミュレータ用処理手段
１３  アナログ電話回線
１４  モデム
１５  デジタル公衆電話回線
１６  テレビドアホンシステム
２１  ユーザインターフェース
２２  エキスパートシステム
２３  デバイス監視制御システム
【図１】
2006231049.tif 000010
【図２】
2006231049.tif 000011
【図３】
2006231049.tif 000012
【図４】
2006231049.tif 000013
【図５】
2006231049.tif 000014
【図６】
2006231049.tif 000015
【図７】
2006231049.tif 000016
【図８】
2006231049.tif 000017
【図９】
2006231049.tif 000018
【図１０】
2006231049.tif 000019
【図１１】
2006231049.tif 000020
【図１２】
2006231049.tif 000021
【図１３】
2006231049.tif 000022
【図１４】
2006231049.tif 000023
【図１５】
2006231049.tif 000024
【図１６】
2006231049.tif 000025
【図１７】
2006231049.tif 000026
【図１８】
2006231049.tif 000027
【図１９】
2006231049.tif 000028
【図２０】
2006231049.tif 000029
【図２１】
2006231049.tif 000030
【図２２】
2006231049.tif 000031
【図２３】
2006231049.tif 000032
【図２４】
2006231049.tif 000033
【図２５】
2006231049.tif 000034
【図２６】
2006231049.tif 000035
【図２７】
2006231049.tif 000036
【図２８】
2006231049.tif 000037
【図２９】
2006231049.tif 000038
【図３０】
2006231049.tif 000039
【図３１】
2006231049.tif 000040
【図３２】
2006231049.tif 000041
【図３３】
2006231049.tif 000042
【図３４】
2006231049.tif 000043
【図３５】
2006231049.tif 000044
【図３６】
2006231049.tif 000045
【図３７】
2006231049.tif 000046
【図３８】
2006231049.tif 000047
【図３９】
2006231049.tif 000048
【図４０】
2006231049.tif 000049
【図４１】
2006231049.tif 000050